(57)【要約】【課題】商品等の外観を顧客等に良く見せるために、ＬＥＤ等の発光体に供給される電流にノイズが乗らず、発光体の点灯状態を安定化させることができる照明付き載置台を提供すること。【解決手段】  発光体を点灯させるための点灯制御部を内蔵する円筒状の容器本体部２と、該容器本体部内に設けられ且つ発光体を挿通するための開口穴９ｃが形成された反射部材９と、該反射部材を覆うように容器本体部の開口部に取り付けられた光透過プレート３と、を有し、点灯制御部２０にはノイズ消去装置を備えた照明付き載置台。【選択図】      図１
2005160639.tif 000002
【特許請求の範囲】
【請求項１】
発光体を点灯させるための点灯制御部を内蔵する円筒状の容器本体部と、該容器本体部内に設けられ且つ発光体を挿通するための開口穴が形成された反射部材と、該反射部材を覆うように容器本体部の開口部に取り付けられた光透過プレートと、を有し、点灯制御部にはノイズ消去装置を備えたことを特徴とする照明付き載置台。
【請求項２】
ノイズ消去装置は、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材料の充填部材と、を備える螺旋形成導体装置であることを特徴とする請求項１記載の照明付き載置台。
【請求項３】
発光体は、中心位置とその周囲の複数位置に設けられ、該周囲の複数の位置には、発光ダイオード（ＬＥＤ）が配置されてなることを特徴とする請求項１記載の照明付き載置台。
【請求項４】
点灯制御部には、プラグコードの端子が着脱自在に接続されるリセプタクルコネクターが配設されたことを特徴とする請求項１記載の照明付き載置台。  
【発明の詳細な説明】
【技術分野】
【０００１】
本発明は、物体をライトアップし審美性を高めるための照明付き載置台に関する。
詳しくは、透過性のある透明又は半透明プレートを水平面と平行に配置し、その上に物体を載置した後、プレート下方にあるＬＥＤを点灯させ、物体をライトアップすることにより審美性を向上させることができる照明付き載置台に関する。
【背景技術】
【０００２】
従来、照明付き載置台には、特許文献１に記載のようなものが知られている（実用新案登録第３０９４５０４号参照）。
この文献に記載のレンズ付き商品陳列台には、発光色の異なる複数のＬＥＤが設けられている。  
【０００３】
そして、この発光色が順次変わるようなプログラムが組み込まれている。
ＬＥＤが載置された基板は、商品陳列台の底蓋上に設けられ、また商品陳列台の最上部中央には光照射窓が設けられている。
【０００４】
光照射窓とＬＥＤ基板との間には、反射部材である光分散防止壁が設けられ、ＬＥＤからの光を無駄なく光照射窓に導くことができる。
なお、商品陳列台最上部の光照射窓を除く全面には鏡が取り付けられている。
【０００５】
【特許文献１】実用新案登録第３０９４５０４号公報
【発明の開示】
【発明が解決しようとする課題】
【０００６】
しかしながら、上述したような商品陳列台で載置された商品に光を照射しても、照射した光も僅かにノイズの影響が作用し、顧客によっては視覚的に不快感を覚える場合があった。
【０００７】
本発明は、かかる技術背景をもとになされたもので、顧客に不快感を与えず、しかもより審美的な印象を顧客に与えようという点に端を発している。
すなわち、本発明は、商品等の外観を顧客等に良く見せるために、ＬＥＤ等の発光体に供給される電流にノイズが乗らず、発光体の点灯状態を安定化させることができる照明付き載置台を提供することを目的とする。
【課題を解決するための手段】
【０００８】
すなわち、本発明は、（１）、発光体を点灯させるための点灯制御部を内蔵する円筒状の容器本体部と、該容器本体部内に設けられ且つ発光体を挿通するための開口穴が形成された反射部材と、該反射部材を覆うように容器本体部の開口部に取り付けられた光透過プレートと、を有し、点灯制御部にノイズ消去装置を備えたことに存する。
【０００９】
また、本発明は、（２）、ノイズ消去装置は、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、円筒状金属シートと第一導体との間隙に充填された、被覆部材と同一材料の充填部材と、を備える螺旋形成導体装置であることに存する。
【００１０】
また、本発明は、（３）、発光体は、中心位置とその周囲の複数位置に設けられ、該周囲の複数の位置には、発光ダイオード（ＬＥＤ）が配置されてなることに存する。
【００１１】
また、本発明は、（４）、点灯制御部には、プラグコードの端子が着脱自在に接続されるリセプタクルコネクターが配設されたことに存する。
【００１２】
本発明はこの目的に沿ったものであれば、上記（１）〜（４）の中から選ばれた２つ以上を組み合わせた構成も採用可能である。
【発明の効果】
【００１３】
本発明の照明付き載置台では、点灯制御部にノイズ消去装置が設けられている。
そして、このノイズ消去装置には、表面に螺旋溝が形成された第一導体と、螺旋溝に噛み合わない状態で第一導体の外側に配置されたコイル状の第二導体と、該第二導体の外側に配置された円筒状金属シートと、該円筒状金属シートの外側に配置された被覆部材と、前記円筒状金属シートと第一導体との間隙に充填された、被覆部材と同一材料の充填部材と、が設けられている。
【００１４】
ところで、商用１００Ｖ電源から交流電圧を印加し、この交流電圧をＡＣ−ＤＣコンバータにより直流電圧に変換し、コンデンサーによって平滑化し、発光体に直流電流を供給するのが、一般的な発光体の発光方法である。
上述したノイズ消去装置が交流回路に設けられると、交流電圧へのノイズの重畳が抑止されることが、実験的に分かっているが、このノイズ消去装置を交流回路に設ければ、発光体に供給される電流に乗るノイズが低減され、発光体の発光が安定化する。
【００１５】
そのため、照明付き載置台に載せた商品がより安定的にライトアップされ、顧客に対して審美的な印象を与えることができる。
ひいては、審美的に商品を顧客に見せて、購買意欲を増進させ、それをもって需要の増大、ひいては産業の発達を図ろうとする取引界からの要望に応えることができる。
また、発光体を中心位置とその周囲の複数位置に設け、該周囲の複数位置には発光体としてＬＥＤを選択すれば、例えば、赤色、緑色、青色の３種類のＬＥＤを設けることで、好みの色の光を商品に照射することができる。
【００１６】
更に、点灯制御部には、プラグコードの端子が着脱自在に接続されるリセプタクルコネクターを配設すれば、プラグコードを外すことで各種部品を内包した容器本体部のみにすることができ、手軽に照明付き載置台を持ち運ぶことができる。
【発明を実施するための最良の形態】
【００１７】
以下、本発明を実施するための最良の形態を図面に基づいて説明する。
図１は、本発明の一実施形態に係る照明付き載置台を示している。
この照明付き載置台１は、有底円筒状の容器本体部２を有している。
この容器本体部２は、プラスチック製であり、例えば、表面に金属メッキが施されており、優れた美感を呈するものである。
もっとも、アルミニウム等の金属材料を使って作製するとメタリック調な表面つやを出すことができる。
【００１８】
この容器本体部２の開口側には、光を透過する樹脂製の光透過プレート３が設けられている。
光透過プレート３の上面側は平坦にされているが、下面側には、碁盤の目状に溝が形成されている。
容器本体部２の外周壁には貫通穴２ａが形成され、この貫通穴２ａは、プラグコード４の差込口となる。
【００１９】
プラグコード４は、容器本体部２内に設けられた後述する点灯制御部であるＬＥＤ点灯用基板５に接続される。
また、プラグコード４の他端には、商用１００Ｖ電源のコンセントに接続される二相接続式のプラグ６が設けられている。
そして、プラグコード４とプラグ６とによりケーブルアッセンブリー品７が形成されている。
【００２０】
図２は、容器本体部２内に設けられた構成部材を示している。
ＬＥＤ点灯用基板５には、プラグコード４の端子４ａが着脱自在に接続されるリセプタクルコネクター８が配設されている。
そして、リセプタクルコネクター８と端子４ａとを接続し、更にプラグ６をコンセントに差し込むことで、ＬＥＤ点灯用基板５が通電される。
【００２１】
ＬＥＤ点灯用基板５上には、碗状の反射部材９が設けられている。
この反射部材９の内側面９ａは鏡面状に形成されており、反射率が高い。
例えば、金属材料を鏡面仕上げしたものや、プラスチックに金属メッキを施したものが用いられる。
【００２２】
図３は、照明付き載置台１から光透過プレート３を上方に取り外した状態を示している。
容器本体部２には、反射部材９が挿入されている。
反射部材９の大径側には、フランジ部９ｂが形成されている。
このフランジ部９ｂの外径と容器本体部２の内径とを同径とすることで、反射部材９は容器本体部２に正確に嵌め込まれている。
【００２３】
反射部材９の中央には、ＬＥＤ点灯用基板５に設けられたＬＥＤ郡１０を挿通するための開口穴９ｃが形成されている。
ＬＥＤ群１０には、発光体であるＬＥＤ１１Ａ〜１１Ｆと白熱ランプ１１Ｇとが設けられている。
具体的には、六角形の各頂点に相当する位置にＬＥＤ１１Ａ〜１１Ｆがそれぞれ配置され、その中心位置に、ＬＥＤ１１Ａ〜１１Ｆよりもやや大きな形状をした白熱ランプ１１Ｇが配置されている。
【００２４】
ＬＥＤ１１Ａ，１１Ｄは例えば赤色の光を放射し、ＬＥＤ１１Ｂ，１１Ｅは緑色の光を放射し、ＬＥＤ１１Ｃ，１１Ｆは青色の光を放射する。
すなわち、光の三原色が放射される。
そして、ＬＥＤ１１Ａ〜１１Ｆの中から発光させるＬＥＤと発光させないＬＥＤとを適宜選択して、所望の色を商品に照射することが可能となっている。
【００２５】
白熱ランプ１１Ｇは、自然光を放射する。光透過プレート３上に載置された商品に暖かみを与えるには、白熱光が適している。
そして、光透過プレート３の下方にあるＬＥＤ１１Ａ〜１１Ｆ及び白熱ランプ１１Ｇを適宜選択して点灯させると、光透過プレート３上の商品を審美的に見せることができる。
【００２６】
なお、白熱ランプ１１Ｇの代わりに赤外線や紫外線を放射するランプを用いても良い。
赤外線であれば、通信用に利用できるし、紫外線であれば、光透過プレート３上に載置された食品を殺菌することができるという別の利用方法もある。
また、ＬＥＤや白熱ランプの個数は、必要に応じて適宜変更可能である。
【００２７】
さて、図４は、点灯制御部に備わっているノイズ低減用のノイズ消去装置（例えば通電回路に介在されている）の例を示している。
図５は、図４（Ａ）のＡ−Ａ線に沿う断面図である。
この図４（Ａ）のノイズ消去装置１２は、螺旋溝１３ａが形成された第一導体１３を有しており、螺旋形成導体装置とされている。
この螺旋溝１３ａの角度θは（いわゆるリード角）は、自由に設定可能であるが、特に、５１度５０分にするのが好ましい。
【００２８】
因みに、この角度は黄金角といわれるが、黄金角は、ヨーロッパの建築物、絵画、彫刻等の美を求める最適値として、また自然界の動植物の成長（成長、収縮を繰り返すエネルギー現象）の最適値として極めて重要な値であることが経験的に知られている。
第一導体１３の外側には、第一導体１３と導通しないようにコイル状の第二導体１４が巻回されている。
この第二導体１４の巻回方向は、螺旋溝１３ａと反対回りに形成され、螺旋溝１３ａと噛み合わない状態にされている。
【００２９】
第二導体１４の外側には、円筒状金属シート１５が設けられている。
もっとも、この円筒状金属シート１５は、第二導体１４を紙片（和紙等が好適）を巻き付けた上に設けることが好ましい。
この円筒状金属シート１５は、第二導体１４の外周を覆うようにされており、その材料としては、例えばアルミニウムが用いられるが、より好ましくは、アモルファス金属が採用される。
円筒状金属シート１５の外側には、被覆部材１６が設けられている。
被覆部材１６の材料としては、例えば合成樹脂が採用され、具体的には、ポリウレタン樹脂、アクリル樹脂、無機質粉末（トハマリン、蛇紋石粉末等）を使用することが好ましい。
【００３０】
被覆部材１６は、少なくとも内包した第一導体１３、第二導体１４、及び円筒状金属シート１５を保護する役割を果たしている。
円筒状金属シート１５と第一導体１３との間隙には、被覆部材１６と同一材料の充填部材１７が充填されている。
【００３１】
この充填部材１７は、第一導体１３と第二導体１４と円筒状金属シート１５とが相互に確実に導通しないようにする役割や固定化の役割を果たしている。
第一導体１３と第二導体１４とは電気的に並列に配置されている。
なお、ノイズ除去装置１２の両端には他の配線と接続するために接点Ｓ１，Ｓ２を設けた。
ところで、以上説明したノイズ消去装置１２の他に図４（Ｂ）にその変形例を示した。
この変形例は、第一導体１３が互いに交差する反対方向の２本の螺旋溝１３ａを有するものであり、その他の構造は図４（Ｂ）に示すノイズ消去装置と同じである。
【００３２】
図６は、ＬＥＤの点灯システムの概略を示している。
この点灯システム１８は、ＬＥＤ１１Ａ〜１１Ｆと白熱ランプ１１Ｇとを有している。
【００３３】
このＬＥＤ１１Ａ〜１１Ｆと白熱ランプ１１Ｇは、それぞれ点灯駆動回路１９に接続されている。
この点灯駆動回路１９は、ＬＥＤ点灯用基板５に形成されており、また点灯駆動回路１９には、交流を直流に変更するＡＤ−ＤＣコンバータが形成されている。
前述のノイズ消去装置１２は、点灯駆動回路１９の交流電圧が加わる部分に設置される。
【００３４】
点灯駆動回路１９は、ＬＥＤ点灯用基板５上に形成された制御部２０により制御される。
具体的には、制御部２０は、ＬＥＤ１１Ａ〜１１Ｆ及び白熱ランプ１１Ｇの点灯や消灯を指示制御する。
この制御部２０からの指示により、所定の規則に合わせてＬＥＤ１１Ａ〜１１Ｆ及び白熱ランプ１１Ｇを点灯させたり点滅させると、躍動感のある演出が可能となる。
【００３５】
制御部２０には、電源２１が接続されている。
この電源２１は、商用１００Ｖ電源であり、前記プラグコード４を介して、制御部２０に電力が供給される。
図７は、ノイズ消去装置１２の効果を確認するために行った実験装置を示している。
この実験装置では、２つのノイズ消去装置１２〔図４（Ａ）の場合〕が相互に平行に配置されている。
【００３６】
なお、このノイズ消去装置１２は、この装置がない状態の実験結果と比較する必要があるため、容易に取外し可能に設けられている。
ノイズ消去装置１２の一端には商用交流（１００Ｖ）を入力することとし、その出力側に負荷としてドライヤ２２を接続した。
ドライヤ２２は、ＩＺＵＭＩ製造、定格１００Ｖ、１２００Ｗ、５０〜６０Ｈｚ仕様である。
【００３７】
ノイズ消去装置１２の一端の交流入力と他端の交流出力とを二現象オシロスコープ２３（ＳＳ−５７０２  ＤＣ〜２０Ｍ１Ｈｚ規格）を接続して波形を観測した。
その結果、本発明のノイズ消去装置１２の場合は、交流波形のノイズ成分が効果的に除去されているものであった。
【００３８】
図８は、図７の実験装置を用いて実測した交流波形を示している（なお、ここでの波形は、便宜的に実測値を模式化して示したものである）。
図８（Ａ）は、ノイズ消去装置１２を取り付けないで測定した波形であり、図８（Ｂ）は、ノイズ消去装置１２を取り付けて測定した波形を示している。
【００３９】
これらの波形を比較すると、ノイズ消去装置１２を設けたことでノイズ成分が効果的に除去されることが分かる。
以上、本発明を説明してきたが、本発明は上述した一実施形態に拘束されることなく種々の変形が可能である。
ノイズ消去装置は、点灯制御部内だけではなく、本発明である照明付き載置台に内蔵されている通電回路に設けられていれば十分効果を達成できるものである。
【図面の簡単な説明】
【００４０】
【図１】図１は、本発明の一実施形態に係る照明付き載置台を示す説明図である。
【図２】図２は、図１の容器本体部内に設けられる構成部材を示す説明図である。
【図３】図３は、図１の照明付き載置台から光透明プレートを取り除いた状態を示す説明図である。
【図４】図４は、図３のＬＥＤ点灯用基板に設けられる螺旋形成導装置の例を示す説明図である。
【図５】図５は、図４のＡ−Ａ線に沿う断面図である。
【図６】図６は、図１の照明付き載置台に形成されるＬＥＤの点灯システムを示す説明図である。
【図７】図７は、ノイズ消去装置の効果を確認するための実験装置を示す説明図である。
【図８】図８は、図７の実験装置を用いて実測した交流波形を示している。
【符号の説明】
【００４１】
１  照明付き載置台
２  容器本体部
２ａ  貫通穴
３  光透過プレート
４  プラグコード
４ａ  端子
５  ＬＥＤ点灯用基板
６  プラグ
７  ケーブルアッセンブリー品
８  リセプタクルコネクター
９  反射部材
９ａ  内側面
９ｂ  フランジ部
９ｃ  開口穴
１０  ＬＥＤ群
１１Ａ〜１１Ｆ  ＬＥＤ
１１Ｇ  白熱ランプ
１２  ノイズ消去装置
１３  第一導体
１３ａ  螺旋溝
１４  第二導体
１５  円筒状金属シート
１６  被覆部材
１７  充填部材
１８  点灯システム
１９  点灯駆動回路
２０  制御部
２１  電源
２２  ドライヤ
２３  オシロスコープ
Ｓ１，Ｓ２  接点  
【図１】
2005160639.tif 000003
【図２】
2005160639.tif 000004
【図３】
2005160639.tif 000005
【図４】
2005160639.tif 000006
【図５】
2005160639.tif 000007
【図６】
2005160639.tif 000008
【図７】
2005160639.tif 000009
【図８】
2005160639.tif 000010